(57)【要約】【課題】従来のトナーシール部材は平面状であるため、それをシャッターの内側円弧面に指先で押付けて接着すると円弧面状に歪曲変形されて、表面（ポリテトラフルオロエチレン製のフイルム若しくはフェルト）に皺や溝が生じて微細な隙間を形成し、その隙間からトナーが外部に漏れる課題があった。【解決手段】トナーシール部材１を、シャッター４の内側円弧面に見合ったアールの円弧形状に備えて、その円弧形状がシャッター４の内側円弧面に合致して密着するように備え、もって、裏面の剥離紙８を剥がしてシャッター４の内側円弧面に接着設置したときに、その表面のポリテトラフルオロエチレン製のフイルム６若しくはフェルトに皺、溝等９が生じないように備えたものである、トナーカートリッジ２のシャッター４のトナーシール部材１によって課題を解決した。【選択図】図１
0003125105.tif 000002
【実用新案登録請求の範囲】
【請求項１】
プリンター、コピー機、ファックス等に使用するドラム型（円筒形）のトナーカートリッジのトナー供給口を開閉するシャッターを該トナーカートリッジの外周面に沿い設定寸法円弧摺動自在に備えると共に、該シャッターの内側円弧面にトナーシール部材を接着して、シャッターがトナー供給口を開閉操作する時、若しくは閉塞した時に、トナー供給口とシャッターの内側円弧面の隙間からトナーが外部に漏出するのをシールするように備えた構成におけるトナーシール部材において、
即ち、トナーカートリッジのトナー供給口を覆う寸法の短冊片状の発泡プラスチック、ゴム、若しくはフエルト等からなるホルダーを中心とし、その表面にポリテトラフルオロエチレン製のフイルム若しくはフェルトを固着し、裏面に両面接着フィルムの片面を接着（他面に剥離紙を接着）して積層構成したものであり、シャッターの内側円弧面に接着設置するものであるトナーシール部材おいて、
該トナーシール部材を、シャッターの内側円弧面に見合ったアールの円弧形状に備えて、その円弧形状がシャッターの内側円弧面に合致して密着するように備え、もって、裏面の剥離紙を剥がしてシャッターの内側円弧面に接着設置したときに、その表面のポリテトラフルオロエチレン製のフイルム若しくはフェルトに皺、溝等が生じないように備えたものである、
トナーカートリッジのシャッターのトナーシール部材。
【考案の詳細な説明】
【技術分野】
【０００１】
本考案は、プリンター、コピー機、ファックス等に使用するドラム型（円筒形）のトナーカートリッジのトナー供給口を開閉操作するように備えたシャッターの内側円弧面に接着して、該シャッターがトナーカートリッジの外周面に沿い設定寸法円弧摺動してトナー供給口を開閉操作する時、若しくは閉塞した時に、トナー供給口とシャッター内側円弧面の隙間からトナーが外部に漏出するのをシールするためのトナーシール部材に係り、
【０００２】
該トナーシール部材を、シャッターの内側円弧面に見合ったアールの円弧形状に備えて、その円弧形状がシャッターの内側円弧面に合致して密着するように備え、もって、裏面の剥離紙を剥がしてシャッターの内側円弧面に接着設置したときに、その表面のポリテトラフルオロエチレン製のフイルム若しくはフェルトに皺、溝等が生じないように備えたたこと特徴とする、トナーカートリッジのシャッターのトナーシール部材に係るものである。
【背景技術】
【０００３】
（図６〜図８参照）
従来、プリンター、コピー機、ファックス等に使用するドラム型（円筒形）のトナーカートリッジ２において、
該トナーカートリッジ２のトナー供給口３を開閉するシャッター４を該トナーカートリッジ２の外周面に沿い設定寸法円弧摺動自在に備えると共に、該シャッター４の内側円弧面にトナーシール部材１ａを接着して、シャッター４がトナー供給口３を開閉操作する時、若しくは閉塞した時に、トナー供給口３とシャッター４の内側円弧面の隙間からトナーが外部に漏出するのをシールするように備えたものが、広く一般的に使用されている。
【０００４】
（図７参照）
而して、上記のトナーシール部材１ａは、通常、トナーカートリッジ２のトナー供給口３を覆う寸法の短冊片状の発泡プラスチック、ゴム、若しくはフエルト等からなるホルダー５を中心とし、その表面にポリテトラフルオロエチレン製のフイルム６若しくはフェルト（図示を省く）を固着し、裏面に両面接着フィルム７の片面を接着（他面に剥離紙８を接着）して積層構成したものであり、
該トナーシール部材１ａを、その裏面の剥離紙８を剥がしてシャッター４の内側円弧面に接着設置するものである。
【０００５】
また、従来のトナーシール部材１ａは、メーカーにより多少形状、寸法が相違するが、図示例（図６）のものは、幅２２ｍｍ位、長さ４５ｍｍ位、厚さ１ｍｍ位である。
而して、本考案の図示実施例（図1、図４、図５）も、その寸法は従来と略同様である。
【考案の開示】
【考案が解決しようとする課題】
【０００６】
上記従来のトナーシール部材１ａは、その裏面の剥離紙を１個づつ人手で剥がし、指先でシャッターの内側円弧面に押付けて接着設置している。本考案もこの作業者による接着作業は同じである。
【０００７】
（図８参照）
然るところ、従来のトナーシール部材１ａは、図示の通り、全くの平面状であるため、それを指先で押付けてシャッターの内側円弧面のアールに合わせて圧着すると、特にトナーシール部材の平面状の表面側が強制的に円弧面状に歪曲変形されるため、接着されたトナーシール部材１ａの表面（ポリテトラフルオロエチレン製のフイルム若しくはフェルト）に皺や溝９が生じ、そのため、その皺や溝9がトナーシール部材１ａの表面とトナーカートリッジ２の外周面（トナー供給口３周辺）との接触面間に微細な隙間を形成して、両者間の密着性を損ない、その隙間からトナーが外部に漏れる課題があった。
【０００８】
また、上記のように、トナーシール部材１ａの表面に皺や溝９ができて、トナーカートリッジ２の外周面に沿って摺動するトナーシール部材１ａの表面が平滑な円弧面でなくなるため、変則的に凸出した部分が摺動摩擦で局部的に磨耗して、トナーシール部材１ａの耐久性を損なうと共にそれが更に該部からのトナー漏れを助長する課題があった。
【０００９】
更に、上記のように、従来のトナーシール部材１ａは全くの平面状であるため、それを指先で押付けてシャッター４の内側円弧面のアールに合わせて圧着するとき、出来るだけ表面に皺や溝９が生じないように、その上、手早く接着設置するには、熟練と手間を要する面倒な作業が必須なため、時間当たりの作業効率が極めて低い課題があった。
【００１０】
そこで、本考案は、従来のトナーシール部材のように全くの平面状に備えることを止め、該トナーシール部材を、シャッターの内側円弧面に見合ったアールの円弧形状に備えて、その円弧形状がシャッターの内側円弧面に合致して密着するように備え、もって、裏面の剥離紙を剥がしてシャッターの内側円弧面に接着設置したときに、その表面のポリテトラフルオロエチレン製のフイルム若しくはフェルトに皺、溝等が生じないように備えることによって、上記従来の課題を解決したものである。
【課題を解決するための手段】
【００１１】
即ち、本考案は、プリンター、コピー機、ファックス等に使用するドラム型（円筒形）のトナーカートリッジのトナー供給口を開閉するシャッターを該トナーカートリッジの外周面に沿い設定寸法円弧摺動自在に備えると共に、該シャッターの内側円弧面にトナーシール部材を接着して、シャッターがトナー供給口を開閉操作する時、若しくは閉塞した時に、トナー供給口とシャッターの内側円弧面の隙間からトナーが外部に漏出するのをシールするように備えた構成におけるトナーシール部材において、
【００１２】
即ち、トナーカートリッジのトナー供給口を覆う寸法の短冊片状の発泡プラスチック、ゴム、若しくはフエルト等からなるホルダーを中心とし、その表面にポリテトラフルオロエチレン製のフイルム若しくはフェルトを固着し、裏面に両面接着フィルムの片面を接着（他面に剥離紙を接着）して積層構成したものであり、シャッターの内側円弧面に接着設置するものであるトナーシール部材おいて、
【００１３】
該トナーシール部材を、シャッターの内側円弧面に見合ったアールの円弧形状に備えて、その円弧形状がシャッターの内側円弧面に合致して密着するように備え、もって、裏面の剥離紙を剥がしてシャッターの内側円弧面に接着設置したときに、その表面のポリテトラフルオロエチレン製のフイルム若しくはフェルトに皺、溝等が生じないように備えたものである、トナーカートリッジのシャッターのトナーシール部材によって課題を解決したものである。
【考案の効果】
【００１４】
本考案トナーシール部材は、シャッターの内側円弧面に見合ったアールの円弧形状に備えて、その円弧形状がシャッターの内側円弧面に合致して密着するように備え、もって、裏面の剥離紙を剥がしてシャッターの内側円弧面に接着設置したときに、その表面のポリテトラフルオロエチレン製のフイルム若しくはフェルトに皺、溝等が生じないように備えたので、従来のトナーシール部材と異なり、トナーシール部材の表面とトナーカートリッジの外周面（トナー供給口周辺）との接触面が極めて高精度に密接し、よって、両者間の隙間からトナーが外部に漏れる恐れがない優れた特徴がある。
【００１５】
シャッターの内側円弧面に接着設置したトナーシール部材の表面が皺、溝等の無い平滑面であるため、変則的局部的な接触磨耗を生じることがなく、よって、トナーシール部材の耐久性を格段に向上し得る。
【００１６】
本考案トナーシール部材は、シャッターの内側円弧面に見合ったアールの円弧形状に備えて、その円弧形状がシャッターの内側円弧面に合致して密着するように備えたので、従来のトナーシール部材と異なり、熟練と手間を要せずに手早く接着設置することができ、よって、トナーシール部材の取付け作業を格段に簡易化し、また、接着設置の時間当たりの作業効率及び精度を格段に向上し得る多大の効果がある。
【考案を実施するための最良の形態】
【００１７】
トナーカートリッジのシャッターのトナーシール部材を、シャッターの内側円弧面に見合ったアールの円弧形状に備えて、その円弧形状がシャッターの内側円弧面に合致して密着するように備え、もって、裏面の剥離紙を剥がしてシャッターの内側円弧面に接着設置したときに、その表面のポリテトラフルオロエチレン製のフイルム若しくはフェルトに皺、溝等が生じないように備えた、トナーカートリッジのシャッターのトナーシール部材。
【実施例１】
【００１８】
図1は、トナーシール部材の一部にトナー供給口に合わせた窓を開けた実施例の正面図、平面図、右側面図、及び横断面図、図２は、図1のＡ−Ａ線断面拡大図、図３は、図1の実施例をトナーカートリッジのシャッターの内側円弧面に接着設置した状態の断面図で、（イ）はトナー供給口を開きトナーを供給する状態の図、（ロ）はトナー供給口を閉塞した状態の図、図４は、円弧形状に備えた実施例トナーシール部材を、シャッターの内側円弧面に皺、溝等を生じずに接着設置した状態を示す説明断面図、図５は、他の実施例（窓を設けない）の正面図、平面図、右側面図、及び横断面図、図６は、他の実施例（斜め平行四辺形）の正面図、平面図、右側面図、及び横断面図である。
【００１９】
符号、１は本考案トナーシール部材、２はトナーカートリッジ、３はトナー供給口、４はシャッター、５はホルダー、６はポリテトラフルオロエチレン製のフイルム若しくはフェルト、７は両面接着フィルム、８は剥離紙、９は皺や溝、１０は窓である。
【００２０】
（図1〜３参照）
本考案トナーシール部材１の実施例を図面につき説明すると、
プリンター、コピー機、ファックス等に使用するドラム型（円筒形）のトナーカートリッジ２のトナー供給口３を開閉するシャッター４を該トナーカートリッジ２の外周面に沿い設定寸法円弧摺動自在に備えると共に、該シャッター４の内側円弧面にトナーシール部材１を接着して、シャッター４がトナー供給口３を開閉操作する時、若しくは閉塞した時に、トナー供給口３とシャッター４の内側円弧面の隙間からトナーが外部に漏出するのをシールするように備えた構成におけるトナーシール部材１において、
【００２１】
即ち、トナーカートリッジ２のトナー供給口３を覆う寸法の短冊片状の発泡プラスチック、ゴム、若しくはフエルト等からなるホルダー５を中心とし、その表面にポリテトラフルオロエチレン製のフイルム６若しくはフェルトを固着し、裏面に両面接着フィルム７の片面を接着（他面に剥離紙８を接着）して積層構成したものであり、シャッター４の内側円弧面に接着設置するものであるトナーシール部材１おいて、
【００２２】
該トナーシール部材１を、シャッター４の内側円弧面に見合ったアールの円弧形状に備えて、その円弧形状がシャッター４の内側円弧面に合致して密着するように備え、もって、裏面の剥離紙８を剥がしてシャッター４の内側円弧面に接着設置したときに、その表面のポリテトラフルオロエチレン製のフイルム６若しくはフェルトに皺、溝等９が生じないように備えたものである、トナーカートリッジ２のシャッター４のトナーシール部材１である。
【実施例２】
【００２３】
図４の実施例は、実施例１の窓１０を設けないものであり、シャッターの開閉操作でトナー供給口を全開（開放）若しくは全閉するものである。
【実施例３】
【００２４】
図５の実施例は、平面形状を斜め平行四辺形に形成した他は実施例１と略同様である。
【産業上の利用可能性】
【００２５】
本考案は、メーカー、機種等によるトナーカートリッジ、シャッター、及びトナー供給口等の各部構成及び組合わせ構成の相違、位置や大小形状の相違等に適応自在であるので、それらの相違に拘束されることなく汎用し得る。
【図面の簡単な説明】
【００２６】
【図１】トナーシール部材の一部にトナー供給口に合わせた窓を開けた本考案実施例の正面図、平面図、右側面図、及び横断面図。
【図２】図１のＡ−Ａ線断面拡大図。
【図３】図1の実施例をトナーカートリッジのシャッターの内側円弧面に接着設置した状態の断面図で、（イ）はトナー供給口を開きトナーを供給する状態の図、（ロ）はトナー供給口を閉塞した状態の図。
【図４】円弧形状に備えた実施例トナーシール部材を、シャッターの内側円弧面に皺、溝等を生じずに接着設置する状態を示す説明断面図。
【図５】他の実施例（窓を設けない）の正面図、平面図、右側面図、及び横断面図。
【図６】他の実施例（斜め平行四辺形）の正面図、平面図、右側面図、及び横断面図。
【図７】従来例の正面図、平面図、右側面図、及び横断面図。
【図８】平面状の従来例トナーシール部材を、シャッターの内側円弧面に接着設置して、表面のポリテトラフルオロエチレン製のフイルム若しくはフェルトに皺、溝等が生じた状態を示す説明断面図。
【符号の説明】
【００２７】
１ａ  従来のトナーシール部材
１  本考案トナーシール部材
２  トナーカートリッジ
３  トナー供給口
４  シャッター
５  ホルダー
６  ポリテトラフルオロエチレン製のフイルム若しくはフェルト
７  両面接着フィルム
８  剥離紙
９  皺や溝
１０  窓
【図１】
0003125105.tif 000003
【図２】
0003125105.tif 000004
【図３】
0003125105.tif 000005
【図４】
0003125105.tif 000006
【図５】
0003125105.tif 000007
【図６】
0003125105.tif 000008
【図７】
0003125105.tif 000009
【図８】
0003125105.tif 000010